(57)【要約】【課題】目盛を付した定規体と、ガイド体とを別設しておき、定規体はガイド体と定規挿入部に挿入してスライドさせて、所定の切断幅の位置決めができる丸鋸ガイド兼用定規を提供する。【解決手段】丸鋸Ｂの刃部１と直交し、且丸鋸Ｂを構成するベース部２に取着する止め手段３によってスライド自在な目盛と目盛数字を付した定規体ａと、前記定規体ａと直交する摺動当て部９に定規載置部１３を取着し、前記定規載置部１３に定規挿入部１１を接続し、且前記定規挿入部１１の上面部に螺孔を形成し、前記螺孔に螺入もしくは螺戻して定規体ａを固定もしくはスライドせしめるクランプ２０とを有するガイド体ｂとを別設し、前記ガイド体ｂの挿入部１１に前記定規体ａを挿入せしめた。【選択図】    図１
0003111713.tif 000002
【実用新案登録請求の範囲】
【請求項１】
丸鋸の刃部と直交し、且丸鋸を構成するベース部に取着する止め手段によってスライド自在な目盛と目盛数字を付した定規体と、前記定規体と直交する摺動当て部に定規載置部を取着し、前記定規載置部に定規挿入部を接続し、且前記定規挿入部の上面部に螺孔を形成し、前記螺孔に螺入もしくは螺戻して定規体を固定もしくはスライドせしめるクランプとを有するガイド体とを別設し、前記ガイド体の挿入部に前記定規体を挿入せしめることを特徴とする丸鋸ガイド兼用定規。
【請求項２】
前記定規体の表面部の上端縁部と下端縁部に同一寸法の目盛を付し、前記上端縁部の目盛を上方目盛とし、前記下端部の目盛を下方目盛とし、且前記上方目盛の左側端部の目盛数字を０とし、右側端部に行くに従って大きな数字とし、他方下方目盛の左側端部の目盛数字は大きな数字とし、右側方部に行くに従って順次小さな数字とし右側端部の数字を０とする定規体とすることを特徴とする請求項１記載の丸鋸ガイド兼用定規。
【請求項３】
前記定規体を構成する一側方の端部の裏面部に突起部を形成することを特徴とする請求項１又は請求項２記載の丸鋸ガイド兼用定規。
【請求項４】
前記定規体を挿入する定規挿入部に接続杆の一端部を接続し、前記接続杆の他端部を前記載置部に接続せしめることを特徴とする請求項１又は請求項２又は請求項３記載の丸鋸ガイド兼用定規。
【考案の詳細な説明】
【技術分野】
【０００１】
本考案は丸鋸ガイド兼用定規の技術分野に関するものである。
【背景技術】
【０００２】
従来電動丸鋸をガイドするガイド体として実用新案登録第３０９１１０１号の登録実用新案公報が開示されている。
【０００３】
前記開示の登録実用新案の電動丸鋸をガイドするガイド体は、連結杆７とガイド体４とが一体となっている。さらに前記連結杆７には目盛が付されていない。
【０００４】
さらに前記開示の登録実用新案の電動丸鋸をガイドするガイド体４と連結杆７には、丸鋸を握持する左手もしくは右手と反対の右手もしくは左手がつかまる個所が特定されていない。
【０００５】
上記のとおり前記実用新案登録のガイド体の連結体７には目盛が付されていないので、単に被切断物の端縁部に当てがいながらガイドするだけの機能しかなかった。
【０００６】
また前記実用新案登録のガイド体４の摺動部５が、連結杆７と一体になって形成されており、そのため連結杆７に対しスライドすることができなかった。
【０００７】
さらに従来開示の登録第２５１０７２１号実用新案登録公報の携帯用丸鋸における位置決め装置は、目盛り１４付き定規板１２が固止手段における締付けねじ１１によって固定されているが、前記目盛り１４は定規板１２の表面部の上方部と下方部に目盛りが付され、両目盛りの間に数字が付記されているだけである。
【０００８】
また前記２件の実用新案登録公報以外に開示されている従来の丸鋸をガイドするガイド定規には、上方端縁部にｃｍ目盛りが付され、下方端縁部には尺貫目盛りが付されていた。
【特許文献１】実用新案登録第３０９１１０１号公報
【特許文献２】実用新案登録第２５１０７２１号公報
【考案の開示】
【考案が解決しようとする課題】
【０００９】
上述した従来開示の文献１の実用新案登録第３０９１１０１号公報の考案の連結体７は、定規機能はなく、且該杆７と摺動部５とが一体となって接続しているがために、摺動部５を切断寸法に調整するためにスライドをさせることができなかった。
【００１０】
さらに前記開示文献の実用新案登録の考案の連結体７は、連結体７と摺動部５が一体となってスライドができない機構のため、電動丸鋸がカッティングを開始すると、連結体７と摺動部５との折曲部分を起点にしてぶれ現象を起すおそれがあった。
【００１１】
さらに前記従来開示の文献２の実用新案登録公報の丸鋸において使用の定規板１２には、目盛が付され、且該目盛の数字は上方部と下方部に付されている目盛の中間部位に「０」から右側方に行くに従って大きな数字を順次並列せしめるだけであった。
【００１２】
しかるに本考案の丸鋸ガイド兼用定規は、目盛を付した定規体と、ガイド体とを別設しておき、定規体はガイド体と定規挿入部に挿入してスライドさせて、所定の切断幅の位置決めができるようにした。
【００１３】
さらに本考案の丸鋸ガイド兼用定規は、丸鋸のベース部に設けた止め手段の左側方もしくは右側方からの出入を自在にした。そのため被切断物の切断幅の位置決めが極めて容易となった。
【００１４】
さらに本考案のガイド兼用定規は、定規の一端部を丸鋸のベース部に止め手段によって固定せしめておき、他方前記定規の他端部は定規に対しスライド自在なガイド体をクランプによって切断幅を測定しながら固定するようにした。
【００１５】
また本考案のガイド兼用定規は、前記クランプを握持しながら作業ができるように工夫したので、作業者の手がぶれたりせず、そのため切り口が良好にして、且正確な寸法にて切断ができた。
【００１６】
さらに本考案のガイド兼用定規は、ガイド体に定規挿入部を取着して定規体の出入をスムーズにした。
【００１７】
また本考案のガイド兼用定規は、定規体の一端部の裏面部に突起を形成して、定規体とガイド体とが容易に離脱しないようにした。
【課題を解決するための手段】
【００１８】
本考案の丸鋸ガイド兼用定規の請求項１記載の考案は、丸鋸Ｂの刃部１と直交し、且丸鋸Ｂを構成するベース部２に取着する止め手段３によってスライド自在な目盛と目盛数字を付した定規体ａと、前記定規体ａと直交する摺動当て部９に定規載置部１３を取着し、前記定規載置部１３に定規挿入部１１を接続し、且前記定規挿入部１１の上面部に螺孔を形成し、前記螺孔に螺入もしくは螺戻して定規体ａを固定もしくはスライドせしめるクランプ２０とを有するガイド体ｂとを別設し、前記ガイド体ｂの挿入部１１に前記定規体ａを挿入せしめる丸鋸ガイド兼用定規である。
【００１９】
さらに請求項２記載の考案は、前記定規体ａの表面部の上端縁部５と下端縁部６に同一寸法の目盛を付し、前記上端縁部の目盛を上方目盛７とし、前記下端部の目盛を下方目盛８とし、且前記上方目盛７の左側端部の目盛数字を０とし、右側端部に行くに従って大きな数字とし、他方下方目盛の左側端部の目盛数字は大きな数字とし、右側方部に行くに従って順次小さな数字とし右側端部の数字を０とする定規体ａとする丸鋸ガイド兼用定規である。
【００２０】
また請求項３記載の考案は、前記定規体ａを構成する一側方の端部の裏面部１９に突起部１８を形成する丸鋸ガイド兼用定規である。
【００２１】
さらに請求項４記載の考案は、前記定規体ａを挿入する定規挿入部１１に接続杆１７の一端部を接続し、前記接続杆１７の他端部を前記載置部１３に接続せしめる丸鋸ガイド兼用定規である。
【考案の効果】
【００２２】
請求項１記載の丸鋸ガイド兼用定規は、丸鋸の刃部と直交し、且丸鋸を構成するベース部に取着する止め手段によってスライド自在な目盛と目盛数字を付した定規体と、前記定規体と直交する摺動当て部に定規載置部を取着し、前記定規載置部に定規挿入部を接続し、且前記定規挿入部の上面部に螺孔を形成し、前記螺孔に螺入もしくは螺戻して定規体を固定もしくはスライドせしめるクランプとを有するガイド体とを別設し、前記ガイド体の挿入部に前記定規体を挿入せしめる丸鋸ガイド兼用定規なので、定規体とガイド体が常時接続されることがなく、定規体に対し自由にスライドを可能にした。そのため被切断物の切断幅の位置決めがクランプの締付けで極めて簡単になった。
【００２３】
さらに本考案の丸鋸ガイド兼用定規は、クランプを一方の手指でつかみながら作業ができるようにしたので、丸鋸駆動時に手指のぶれを防止した。そのため正確なカッティングが可能となった。
【００２４】
請求項２記載の丸鋸ガイド兼用定規は、前記定規体の表面部の上端縁部と下端縁部に同一寸法の目盛を付し、前記上端縁部の目盛を上方目盛とし、前記下端部の目盛を下方目盛とし、且前記上方目盛の左側端部の目盛数字を０とし、右側端部に行くに従って大きな数字とし、他方下方目盛の左側端部の目盛数字は大きな数字とし、右側方部に行くに従って順次小さな数字とし右側端部の数字を０とする定規体とする丸鋸ガイド兼用定規なので、定規体を切断幅によってガイド体を被切断物の左側方に当てるときも、前記ガイド体を右側方に当てるときでも、前記定規体の０目盛を丸鋸のベース部に取着の止め手段によって位置決めをして固定することによって、切断幅の目盛を、極めて簡単且確実に見ることができ利便がある。
【００２５】
請求項３記載の丸鋸ガイド兼用定規は、前記定規体を構成する一側方の端部の裏面部に突起部を形成する丸鋸ガイド兼用定規なので、定規体とガイド体とが不意に離脱したりしない。
【００２６】
請求項４記載の丸鋸ガイド兼用定規は、前記定規体を挿入する定規挿入部に接続杆の一端部を接続し、前記接続杆の他端部を前記載置部に接続せしめる丸鋸ガイド兼用定規なので、請求項１記載の効果と同じ効果を有している。
【考案を実施するための最良の形態】
【００２７】
本考案の丸鋸ガイド兼用定規に関する請求項１〜４に記載の考案の実施の形態は、共通しているので図面にもとづき一括して以下のとおり説明する。
【００２８】
図面においてＡは本考案の丸鋸ガイド用定規であり、以下の構成より成っている。
【００２９】
前記定規Ａは定規体ａとガイド体ｂとをもって構成する。前記定規体ａは丸鋸Ｂのベース部２に取着する止め手段３によって固定されたりしてスライドが自在である。１は丸鋸Ｂの刃部である。
【００３０】
前記定規体ａは、表面部４の上端縁部５と下端縁部６に寸法が同一な目盛を付する。
【００３１】
前記上端縁部５に付された目盛を上方目盛７とし、該目盛７の左側端部の目盛数字を「０」とし、他方右側端部の目盛数字を例えば３０ｃｍの場合「３０」とする。しかし前記目盛数字を「３０」から「０」にしてもよい。
【００３２】
さらに前記下端縁部６に付された目盛を下方目盛８とし、左側端部の目盛数字は、大きな数字、例えば３０ｃｍの場合「３０」とし、他方右側端部の目盛数字を「０」とする。しかし前記目盛数字を「３０」から「０」にしてもよい。
【００３３】
上記のとおり上方目盛７と下方目盛８の目盛数字とは正逆数字とする。
【００３４】
前記上方目盛７と下方目盛８の目盛数字の付記は、主として両目盛７、８間の空間部に形成する。
【００３５】
本考案の定規体ａは、主として長さが３０ｃｍとするが限定しない。
【００３６】
ｂは前記定規体ａに対し直交してスライドしたり、固着するガイド体であり以下の構成からなっている。
【００３７】
前記ガイド体ｂは、前記定規体ａに対し直交状態にして、且定規体ａが上面をスライドする摺動当て部９の裏面１０に、定規挿入孔１２を有する定規挿入部１１を取着の定規載置部１３を一体にして組立てる。
【００３８】
前記摺動当て部９は、図面図示のように水平状となっている定規体ａに対し垂直状に取着する。
【００３９】
さらに前記摺動当て部９と定規載置部１３は、螺合し合うネジ部１４、１５とによって接続されている。
【００４０】
また定規載置部１３の上面には、定規体ａが嵌挿する嵌挿部１６を形成する。
【００４１】
さらに本考案の丸鋸ガイド兼用定規Ａは、定規挿入部１１と前記定規載置部１３と接続するのに、前記定規挿入部１１の下方部より載置部１３方向に接続杆１７を延設し、前記接続杆１７の他端部を前記載置部１３の嵌挿部１６の裏面部と接着する。
【００４２】
前記定規挿入部１１は挿入孔１２を有しているので、定規体ａは前記挿入孔１２に挿入し、さらに前記嵌挿部１６に嵌挿させる。
【００４３】
１８は定規体ａの一端部の裏面部１９に突設した突起部である。この突起部１８は挿入孔１２に挿入した定規体ａが定規挿入部１１の端部に係止し定規挿入部１１から離脱しない作用を有している。
【００４４】
２０は定規挿入部１１の上面部に設けた螺孔に螺着のクランプである。このクランプ２０は下方部にネジ部２１が形成されており、定規挿入部１１に挿入しスライドする定規体ａを固定する。
【００４５】
さらに丸鋸Ｂによる切断作業が開始した際、クランプ２０を手指でつかみながら作業をする。そのためクランプ２０によって、ぶれたりしないので作業性は良好である。
【００４６】
さらに前記クランプ２０を赤ピンク等の明るい色調にすれば、取着位置が鮮明となりつかみやすい。
【００４７】
本考案のガイド体ｂ付定規Ａは、丸鋸Ｂにセットするときは、図面図示のような状態で丸鋸Ｂの止め手段３で目盛数字を丸鋸Ｂに設けられている基準に合わせる等して固定し定規Ａと丸鋸Ｂとをセットにして使用する。
【００４８】
他方前記の手法と異なり、定規体ａを前記丸鋸Ｂに対してセットした状態と反対となるように入れ替えて挿入して使用する。そのとき目盛数字の中、上方目盛７を見るか、下方目盛８を見るかだけである。上記のように入れ替えても、目盛は常に「０」を前記丸鋸Ｂの基準に合わせることができる。これが本考案定規Ａの特長の一つである。
【００４９】
本考案の定規体ａの目盛数字の付け方が前記したように同一目盛７、８ではあるが、目盛数字は正逆である。この点も本考案の要部である。
【００５０】
２２は被切断物、２３は切り口である。
【００５１】
さらに本考案のガイド兼用定規Ａは丸鋸Ｂにセットして作業する手法は従来開示の丸鋸と同様である。
【００５２】
しかし本考案の定規Ａが従来の定規の長さより短く例えば３０ｃｍにしても、従来定規の６０ｃｍ長さのものと同じに作業ができる。即ちガイド体ｂ付定規Ａを丸鋸Ｂのベース部２に対し、左側方もしくは右側方の何れかの一側方から挿入せしめることによって、３０ｃｍと長さが短くとも６０ｃｍに匹敵する切断寸法の割出しができるからである。
【図面の簡単な説明】
【００５３】
【図１】本考案の丸鋸ガイド兼用定規の斜視図である。
【００５４】
【図２】同定規の一部切欠正面図である。
【００５５】
【図３】同定規のガイド体と定規体の一部切欠拡大平面図である。
【００５６】
【図４】同定規のガイド体を構成する定規載置部の平面図である。
【００５７】
【図５】同定規を丸鋸にセットし被切断物をカットしているときの使用状態を示す一部切断平面図である。
【００５８】
【図６】同定規の使用状態を示す平面図である。
【符号の説明】
【００５９】
Ａ      定規
Ｂ      丸鋸
ａ      定規体
ｂ      ガイド体
１      刃部
２      ベース部
３      止め手段
４      表面部
５      上端縁部
６      下端縁部
７      上方目盛
８      下方目盛
９      摺動当て部
１０    裏面
１１    定規挿入部
１２    定規挿入孔
１３    定規載置部
１４    ネジ部
１５    ネジ部
１６    嵌挿部
１７    接続杆
１８    突起部
１９    裏面部
２０    クランプ
２１    ネジ部
２２    被切断物
２３    切り口
【図１】
0003111713.tif 000003
【図２】
0003111713.tif 000004
【図３】
0003111713.tif 000005
【図４】
0003111713.tif 000006
【図５】
0003111713.tif 000007
【図６】
0003111713.tif 000008